(57)【特許請求の範囲】
【請求項１】
引き出しの前面板の上縁の中間に、左右方向に長い、コード通線用の凹入切り欠き部を形成し、この凹入切り欠き部の中間に、机の天板の下面に係脱する出没自在なデッドボルトを備える錠装置を設けたことを特徴とするコード付きＯＡ機器格納引き出し。
【請求項２】
凹入切り欠き部の中間に、デッドボルトの先端を通す孔を有するとともに、該デッドボルトを覆うカバーを設けた、請求項１記載のコード付きＯＡ機器格納引き出し。
【請求項３】
カバーを、前面板からその後方に延長して設け、このカバーの後方に延長する部分において、デッドボルトを出没させるようにした、請求項１または２記載のコード付きＯＡ機器格納引き出し。
【請求項４】
引き出し内部の中央に、少なくともカバーの後部と同じ幅で、該カバーの後端に当接する箱部を形成した、請求項３記載のコード付きＯＡ機器格納引き出し。
【請求項５】
引き出しの後面板に、通線グロメット取付用の切り込みを設けた請求項１〜４のいずれかに記載のコード付きＯＡ機器格納引き出し。
【請求項６】
引き出しの前面板を、上縁の中間に、コード通線用の前記凹入切り欠き部を形成した中央部材と、その左右に連設する左右端部材の３部材より構成した請求項１〜５のいずれかに記載のコード付きＯＡ機器格納引き出し。
【発明の詳細な説明】
【０００１】
【発明の属する技術分野】
本発明は、コード付きＯＡ機器格納引き出し、特に、ノートパソコンを収納できる中央引き出しに関する。
【０００２】
【従来の技術】
ノートパソコンを通線した状態で引き出しから取り出して、机上で使用し、作業終了後は、元の引き出しに収納して保存する、ノートパソコン格納専用の引き出しがある。その一例として、特開平10-211037号公報記載のものがあげられる。
【０００３】
【発明が解決しようとする課題】
しかし、この公報記載のもののように、前鏡板の幅全体に隙間状の配線開口を設けると、ノートパソコンを収納した場合、この配線開口から、ごみや埃が入りやすく、格納しているノートパソコンが汚れたり傷んだりする可能性がある。
また、この隙間状の配線開口から中が見えるため、収納物にいたずらをされ易く、盗難や破損のおそれもある。
【０００４】
さらに、盗難防止のために鍵を付けるにしても、鏡板の端部分に鍵装置を取り付け、かつ引き出しの側端部に掛かりを設けることになるので、幅の広い引き出しに対しては、鍵は片効きの状態になりやすく、鍵を掛けても、反対側端部側は開いてしまうおそれがある。それを防ごうとすると、鍵構造が複雑になり、高価なものになってしまう。
また、このような片効きを避けるため、引き出しの中央部に鍵装置を付け、その上方へ掛かりを付けると、配線開口から鍵のデッドボルト等が丸見えになり、美観が損なわれる。
【０００５】
本発明は、上述の問題点に鑑み、コード付きＯＡ機器格納引き出しにおいて、通線用の隙間を広く確保する一方、収納物が見えにくく、確実に施錠でき、しかも美観を損なわないようにすることを目的としている。
【０００６】
【課題を解決するための手段】
本発明によると、上記課題は、次のようにして解決される。
(１) 引き出しの前面板の上縁の中間に、左右方向に長い、コード通線用の凹入切り欠き部を形成し、この凹入切り欠き部の中間に、机の天板の下面に係脱する出没自在なデッドボルトを備える錠装置を設ける。
【０００７】
(２) 上記(１)項において、凹入切り欠き部の中間に、デッドボルトの先端を通す孔を有するとともに、該デッドボルトを覆うカバーを設ける。
【０００８】
(３) 上記(１)または(２)項において、カバーを、前面板からその後方に延長して設け、このカバーの後方に延長する部分において、デッドボルトを出没させるようにする。
【０００９】
(４) 上記(３)項において、引き出し内部の中央に、少なくともカバーの後部と同じ幅で、該カバーの後端に当接する箱部を形成する。
【００１０】
(５) 上記(１)〜(４)項のいずれかにおいて、引き出しの後面板に、通線グロメット取付用の切り込みを設ける。
【００１１】
(６) 上記(１)〜(５)項のいずれかにおいて、引き出しの前面板を、上縁の中間に、コード通線用の前記凹入切り欠き部を形成した中央部材と、その左右に連設する左右端部材の３部材より構成する。
【００１２】
【発明の実施の形態】
図１及び図２は、それぞれ、本発明の引き出し(１)を取り付けた机(Ａ)の側面及び正面を示し、図３〜図６は、本発明の引き出し(１)の一実施態様を示す。
【００１３】
図２に明らかなように、引き出し(１)は、机(Ａ)の前面に、数台のノートパソコンを収納できるように、左右方向に幅広で、合成樹脂製の一体成型品である前面板(２)の上縁中央に、左右方向に長い、凹入切り欠き部(３)を形成してある。この凹入切り欠き部(３)の下方において、前面板(２)の中央に、鍵装置(４)が設けられている。
【００１４】
図３は、引き出し(１)の正面図、図４は同じく平面図である。
天板(５)の下面(5a)と引き出し(１)の前面板(２)の上縁(2a)との間に、上述の凹入切り欠き部(３)が、隙間状に形成されている。
【００１５】
凹入切り欠き部(３)の中央下側、すなわち前面板(２)の中央には鍵装置(４)が設けられ、その上側には、前面板(２)と一体のカバー(６)が、前面板(２)の後方に張り出して設けられている。
【００１６】
なお前面板(２)は、凹入切り欠き部(３)を形成した中央部材(2b)と、その左右に連設する左右の端部材(2c)の３部材より構成されている。
【００１７】
図５に示すように、錠装置(４)のデッドボルト(７)は、錠装置(４)の後端部から上方に延び、直角に後方に曲がってから、前面板(２)の後方に至った後、上方に直角に曲がって延び、先端部(7a)を形成している。
【００１８】
デッドボルト(７)の先端部(7a)に対応するカバー(６)の位置には、このデッドボルト(７)の先端部(7a)が出没しうる孔(6a)が穿設されている。デッドボルト(７)は、鍵装置(２)に差し込んだキー(８)の回動操作により、先端部(7a)が引っ込んだ点線位置から、先端部(7a)が天板(５)の内側肩部に係止される実線位置まで出没させることができる。
【００１９】
前面板(２)の後方における引き出し内部の中央には、引き出し(１)の底面に接するとともに、少なくともカバー(６)の後部と同じ幅で、カバー(６)の後端(6b)に当接する箱部(９)が形成されている。
【００２０】
引き出し(１)の後部の後面板(10)（図５及び図６参照）の上縁には、切り込み(11)が設けられている。この切り込み(11)には、図示しない通常の通線グロメットが取り付けられ、収納機器のコードを通すようになっている。
図６の場合には、切り欠き(11)は２箇所に形成されているが、一般に、その数は、収容しようとするＯＡ機器類の数に対応して決められる。
【００２１】
また、上述の実施態様では、デッドボルト(７)は、前面板(２)の後方まで延び、そこで先端部(7a)が立ち上がっているが、天板下面の適宜の箇所に係止孔を設ければ、デッドボルト(７)は、錠装置(４)の後部で、先端部(7a)が立ち上がるようにすることもできる。
【００２２】
上述のような引き出し(１)に、ノートパソコンのようなＯＡ機器を格納し、その電源コードを、後面板(10)の切り込み(11)に取り付けた爪付きの通線グロメットを介して、電源に接続しておく。
【００２３】
ＯＡ機器の使用にあたっては、引き出し(１)を引き出して、ＯＡ機器を机上に載せ、引き出し(１)を閉める。この際、通線グロメットを介して電源に接続されている電源コードは、隙間状の凹入切り欠き部(３)を通過して机上のＯＡ機器に繋がっているので、引き出し(１)を閉めても何ら支障はない。
【００２４】
机上での作業完了後は、ＯＡ機器を引き出し(１)内に戻し、錠装置(４)を施錠して安全に保管できる。
【００２５】
【発明の効果】
本発明によると、次のような効果を奏することができる。
請求項１記載の発明によれば、配線開口は、前面板の一部分、すなわち中央付近の必要最小限で設けられるので、ごみや埃が入りにくく、機器が傷まず、収納物が見えにくく機密性が高くなり、しかもいたずらされにくくなる。また、鍵装置は、前面板の中央に設けられ、デッドボルトは、この中央位置で天板に係止されるので、引き出しが幅広ものでも、確実に施錠でき、盗難に遭うおそれが少なくなる。
【００２６】
また、デッドボルトは、天板の内側肩部に係止させればよいので、従来の天板のままで、本発明の引き出しをオプション引き出しとして交換可能である。
【００２７】
請求項２記載の発明によれば、デッドボルトがカバーで覆われるため、外部からデッドボルトを破壊することが難しくなり、盗難防止を図ることができる。また、カバーの存在により外観がよくなり、美観上有利である。
【００２８】
請求項３記載の発明によれば、ＯＡ機器の電源コード等は、カバーの存在のため、デッドボルトに引っ掛かることなく、安全に通線開口に導かれる。
【００２９】
請求項４記載の発明によれば、電源コードがカバーの下に回り込むことがなく、また、鍵装置は、箱部内に保護され、収納物の影響を受けることがない。
【００３０】
請求項５記載の発明によれば、切り欠きに爪付き通線グロメットを取り付けるため、引き出しを前後方向に移動させても、電源コードがもつれたり引っかかったりしない。
【００３１】
請求項６記載の発明によれば、幅が異なる引き出しの前面板を、中央部材を共通にして、左右端部材を変えるだけで、構成することができる。
【図面の簡単な説明】
【図１】本発明の引き出しを備える机の側面図である。
【図２】同じく、正面図である。
【図３】本発明引き出しの一実施態様の、一部を省略して示す正面図である。
【図４】同じく、一部を省略して示す平面図である。
【図５】同じく、一部を省略して示す中央縦断面図である。
【図６】同じく、後面板の背面図である。
【符号の説明】
(Ａ)机
(１)引き出し
(２)前面板
(2a)上縁
(2b)中央部材
(2c)端部材
(３)凹入切り欠き部
(４)鍵装置
(５)天板
(5a)下面
(６)カバー
(6a)孔
(6b)後端
(７)デッドボルト
(7a)先端部
(８)キー
(９)箱部
(10)後面板
(11)切り込み
【図１】
0004414529.tif 000002
【図２】
0004414529.tif 000003
【図３】
0004414529.tif 000004
【図４】
0004414529.tif 000005
【図５】
0004414529.tif 000006
【図６】
0004414529.tif 000007